(57)【要約】  データパケット通信システムは、送信機（ＴＸ）と受信機（ＲＸ）との間の送信に関して、レイヤー２中のパケットデータコンバージェンスプロトコル（ＰＤＣＰ）と無線リンク制御（ＲＬＣ）においてデータの暗号化を用いる。暗号化されたデータパケット通信の前に、単一のシーケンス番号をＰＤＣＰおよびＲＬＣの両方に対して使用して、ＴＸ ＰＤＣＰの最初の暗号化シーケンス番号をＲＸに信号送信することによって、オーバーヘッドを低減させる。シーケンス番号は、各ＲＬＣ ＰＤＵに付随し、各ＲＬＣ ＰＤＵは、より高い層からの、連結された、またはセグメント化されたサービスデータユニット（ＳＤＵ）を包含できる。このシーケンス番号は、ＲＬＣが順序付け、ギャップ検出、再送信などを実行するのに十分であり、一方、コンテンツを暗号化するために使用された順番付けられた値をＲＸの上位層のＰＤＣＰが再構築することを可能にする。
2010531555.tif 000002
【特許請求の範囲】
【請求項１】
低減されたオーバーヘッドを有するデータパケット通信の方法において、
送信機から受信機に最初のシーケンス番号を信号送信することと、
前記最初のシーケンス番号から順番付けられた複数の送信機シーケンス番号のうちのそれぞれの１つにより、送信機上位プロトコルにおいて複数のサービスデータユニット（ＳＤＵ）を処理することと、
前記複数のＳＤＵを取得する受信機において前記複数の送信機シーケンス番号のうちのそれぞれの１つを再構築するために、送信されるシーケンス差分値にそれぞれ関係付けられている前記複数の送信機上位プロトコルＳＤＵを組み込む送信機下位プロトコルによって、複数のパケットデータユニット（ＰＤＵ）を発生させ、前記複数のＰＤＵを前記受信機に送信することとを含む方法。
【請求項２】
前記ＳＤＵに直接対応するＰＤＵを発生させ、前記ＳＤＵに直接対応するＰＤＵを前記受信機に送信することをさらに含み、前記送信機下位プロトコルは、前記複数の送信機シーケンス番号に順次マッピングされた、送信されるシーケンス差分値を組み込む請求項１記載の方法。
【請求項３】
各送信機シーケンス番号の先頭部分を省略することによって、送信されるシーケンス値を発生させることをさらに含む請求項２記載の方法。
【請求項４】
前記シーケンス差分値は、前記最初のシーケンス番号が送信機から受信機に信号送信された以降に送信される上位層ＰＤＵの数をカウントする請求項１記載の方法。
【請求項５】
別々の複数のシーケンス番号のうちの１つを各上位層ＰＤＵに割り当てることをさらに含む請求項１記載の方法。
【請求項６】
セグメント化されたＳＤＵを含むＰＤＵを発生させ、送信することをさらに含む請求項５記載の方法。
【請求項７】
少なくとも２つのＳＤＵの連結を含むＰＤＵを発生させ、送信することをさらに含む請求項５記載の方法。
【請求項８】
少なくとも２つのＳＤＵの連結と、セグメント化されたＳＤＵとを含むＰＤＵを発生させ、送信することをさらに含む請求項７記載の方法。
【請求項９】
前記最初のシーケンス番号から順番付けられた複数の送信機シーケンス番号のうちのそれぞれの１つにより、前記送信機上位プロトコルにおいて前記ＳＤＵを暗号化することをさらに含む請求項１記載の方法。
【請求項１０】
前記上位プロトコルはパケットデータコンバージェンスプロトコルを含み、前記下位プロトコルは無線リンク制御を含む請求項１記載の方法。
【請求項１１】
前記送信機は、拡張ベースノードとユーザ機器とで構成されるグループから選択される一方のものを備え、前記受信機は、前記グループの他方のものを備える請求項１記載の方法。
【請求項１２】
前記送信されるシーケンス差分値によって参照されるＳＤＵに対応するＰＤＵ中の欠けている部分を受信機下位プロトコルが検出することに基づく、再送信のための要求を受信することをさらに含む請求項１記載の方法。
【請求項１３】
前記受信機下位プロトコルは、初期値と、前記配信される上位層ＳＤＵの値との間のシーケンス差分値の表示を前記受信機上位プロトコルに提供する請求項１記載の方法。
【請求項１４】
低減されたオーバーヘッドを有するデータパケット通信のための少なくとも１つのプロセッサにおいて、
送信機から受信機に最初のシーケンス番号を信号送信する第１のモジュールと、
前記最初のシーケンス番号から順番付けられた複数の送信機シーケンス番号のうちのそれぞれの１つにより、送信機上位プロトコルにおいて複数のサービスデータユニット（ＳＤＵ）を処理する第２のモジュールと、
前記複数のＳＤＵを取得する受信機において前記複数の送信機シーケンス番号のうちのそれぞれの１つを再構築するために、送信されるシーケンス差分値にそれぞれ関係付けられている前記複数の送信機上位プロトコルＳＤＵを組み込む送信機下位プロトコルによって、複数のパケットデータユニット（ＰＤＵ）を発生させ、前記複数のＰＤＵを前記受信機に送信する第３のモジュールとを具備する少なくとも１つのプロセッサ。
【請求項１５】
低減されたオーバーヘッドを有するデータパケット通信のためのコンピュータプログラムプロダクトにおいて、
送信機から受信機に最初のシーケンス番号を信号送信することをコンピュータに生じさせるための第１の組のコードと、
前記最初のシーケンス番号から順番付けられた複数の送信機シーケンス番号のうちのそれぞれの１つにより、送信機上位プロトコルにおいて複数のサービスデータユニット（ＳＤＵ）を処理することを前記コンピュータに生じさせるための第２の組のコードと、
前記複数のＳＤＵを取得する受信機において前記複数の送信機シーケンス番号のうちのそれぞれの１つを再構築するために、送信されるシーケンス差分値にそれぞれ関係付けられている前記複数の送信機上位プロトコルＳＤＵを組み込む送信機下位プロトコルによって、複数のパケットデータユニット（ＰＤＵ）を発生させ、前記複数のＰＤＵを前記受信機に送信することを前記コンピュータに生じさせるための第３の組のコードと、
を含むコンピュータ読み取り可能媒体を備えるコンピュータプログラムプロダクト。
【請求項１６】
低減されたオーバーヘッドを有するデータパケット通信のための装置において、
送信機から受信機に最初のシーケンス番号を信号送信する手段と、
前記最初のシーケンス番号から順番付けられた複数の送信機シーケンス番号のうちのそれぞれの１つにより、送信機上位プロトコルにおいて複数のサービスデータユニット（ＳＤＵ）を処理する手段と、
前記複数のＳＤＵを取得する受信機において前記複数の送信機シーケンス番号のうちのそれぞれの１つを再構築するために、送信されるシーケンス差分値にそれぞれ関係付けられている前記複数の送信機上位プロトコルＳＤＵを組み込む送信機下位プロトコルによって、複数のパケットデータユニット（ＰＤＵ）を発生させ、前記複数のＰＤＵを前記受信機に送信する手段とを具備する装置。
【請求項１７】
低減されたオーバーヘッドを有するデータパケット通信のための装置において、
最初のシーケンス番号をリモート受信機に信号送信するローカル送信機と、
前記最初のシーケンス番号から順番付けられた複数の送信機シーケンス番号のうちのそれぞれの１つにより、送信機上位プロトコルにおいて複数のサービスデータユニット（ＳＤＵ）を処理し、前記複数のＳＤＵを取得する受信機において前記複数の送信機シーケンス番号のうちのそれぞれの１つを再構築するために、送信されるシーケンス差分値にそれぞれ関係付けられている前記複数の送信機上位プロトコルＳＤＵを組み込む送信機下位プロトコルによって、複数のパケットデータユニット（ＰＤＵ）を発生させるデータパケットプロセッサとを具備し、
前記ＰＤＵは、前記ローカル送信機によって前記リモート受信機に送信される装置。
【請求項１８】
前記複数の送信機シーケンス番号に順次マッピングされた、送信されるシーケンス差分値を組み込むことによって、前記ＳＤＵに直接対応するＰＤＵを発生させる、前記データパケットプロセッサの送信機下位プロトコルをさらに具備する請求項１７記載の装置。
【請求項１９】
各送信機シーケンス番号の先頭部分を省略することによって、送信されるシーケンス番号差分値を発生させる、前記データパケットプロセッサの下位プロトコルをさらに具備する請求項１８記載の装置。
【請求項２０】
前記シーケンス差分値は、前記最初のシーケンス番号が送信機から受信機に信号送信された以降に送信される上位層ＰＤＵの数をカウントする請求項１７記載の装置。
【請求項２１】
別々の複数のシーケンス番号のうちの１つを各ＰＤＵに割り当てる、前記データパケットプロセッサの下位プロトコルをさらに具備する請求項１７記載の装置。
【請求項２２】
セグメント化されたＳＤＵを含むＰＤＵを発生させ、送信する、前記データパケットプロセッサの下位プロトコルをさらに具備する請求項２１記載の装置。
【請求項２３】
少なくとも２つのＳＤＵの連結を含むＰＤＵを発生させ、送信する、前記データパケットプロセッサの下位プロトコルをさらに具備する請求項２１記載の装置。
【請求項２４】
少なくとも２つのＳＤＵの連結と、セグメント化されたＳＤＵとを含むＰＤＵを発生させ、送信する、前記データパケットプロセッサの下位プロトコルをさらに具備する請求項２３記載の装置。
【請求項２５】
前記最初のシーケンス番号から順番付けられた複数の送信機シーケンス番号のうちのそれぞれの１つにより、前記送信機上位プロトコルにおいて前記ＳＤＵを暗号化する、前記データパケットプロセッサの上位プロトコルをさらに具備する請求項１７記載の装置。
【請求項２６】
前記データパケットプロセッサの上位プロトコルはパケットデータコンバージェンスプロトコルを含み、前記データパケットプロセッサの下位プロトコルは拡張ベースノードの無線リンク制御を含む請求項１７記載の装置。
【請求項２７】
前記送信機は、拡張ベースノードとユーザ機器とで構成されるグループから選択される一方のものを備え、前記受信機は、前記グループの他方のものを備える請求項１７記載の装置。
【請求項２８】
前記送信されるシーケンス差分値によって参照されるＳＤＵに対応するＰＤＵ中の欠けている部分を受信機下位プロトコルが検出することに基づく、再送信のための要求を受信するローカル受信機をさらに具備する請求項１７記載の装置。
【請求項２９】
前記受信機下位プロトコルは、初期値と、前記配信される上位層ＳＤＵの値との間のシーケンス差分値の表示を前記受信機上位プロトコルに提供する請求項１７記載の装置。
【請求項３０】
低減されたオーバーヘッドを有するデータパケット通信の方法において、
送信機から受信機に最初のシーケンス番号を受信することと、
前記リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる、複数のパケットデータユニット（ＰＤＵ）を受信機下位プロトコルにおいて受信することと、
前記それぞれの送信されるシーケンス差分値により、前記最初のシーケンス番号から順番付けられた複数の送信機シーケンス番号のうちのそれぞれの１つを再構築することによって、前記複数のＰＤＵから前記複数のＳＤＵのそれぞれを受信機上位プロトコルにおいて取得することとを含む方法。
【請求項３１】
前記ＳＤＵに直接対応するＰＤＵを取得することをさらに含み、前記送信機下位プロトコルは、前記複数の送信機シーケンス番号に順次マッピングされた、送信されるシーケンスの差分値を組み込む請求項３０記載の方法。
【請求項３２】
前記最初のシーケンス番号を参照することにより各送信機シーケンス番号の省略された先頭部分を復元することによって、送信されたシーケンス差分値を取得することをさらに含む請求項３１記載の方法。
【請求項３３】
前記シーケンス差分値は、前記最初のシーケンス番号が送信機から受信機に信号送信された以降に送信される上位層ＰＤＵの数をカウントする請求項３０記載の方法。
【請求項３４】
各ＰＤＵに対して、別々の複数のシーケンス番号のうちの割り当てられた１つを取得することをさらに含む請求項３０記載の方法。
【請求項３５】
セグメント化されたＳＤＵを含むＰＤＵを受信することをさらに含む請求項３４記載の方法。
【請求項３６】
少なくとも２つのＳＤＵの連結を含むＰＤＵを受信することをさらに含む請求項３４記載の方法。
【請求項３７】
少なくとも２つのＳＤＵの連結と、セグメント化されたＳＤＵとを含むＰＤＵを受信することをさらに含む請求項３６記載の方法。
【請求項３８】
前記最初のシーケンス番号から順番付けられた複数の送信機シーケンス番号のうちのそれぞれの１つにより、受信機上位プロトコルにおいて前記ＳＤＵを解読することをさらに含む請求項３０記載の方法。
【請求項３９】
前記受信機上位プロトコルはパケットデータコンバージェンスプロトコルを含み、前記下位プロトコルは無線リンク制御を含む請求項３０記載の方法。
【請求項４０】
前記送信機は、拡張ベースノードとユーザ機器とで構成されるグループから選択される一方のものを備え、前記受信機は、前記グループの他方のものを備える請求項３０記載の方法。
【請求項４１】
前記送信されるシーケンス差分値によって参照されるＳＤＵに対応するＰＤＵ中の欠けている部分を前記受信機下位プロトコルが検出することに基づく、再送信のための要求を送信することをさらに含む請求項３０記載の方法。
【請求項４２】
前記受信機下位プロトコルは、初期値と、前記配信される上位層ＳＤＵの値との間の前記シーケンス差分値の表示を前記受信機上位プロトコルに提供する請求項３０記載の方法。
【請求項４３】
低減されたオーバーヘッドを有するデータパケット通信のための少なくとも１つのプロセッサにおいて、
送信機から受信機に最初のシーケンス番号を受信する第１のモジュールと、
前記リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる、複数のパケットデータユニット（ＰＤＵ）を受信機下位プロトコルにおいて受信する第２のモジュールと、
前記それぞれの送信されるシーケンス差分値により、前記最初のシーケンス番号から順番付けられた複数の送信機シーケンス番号のうちのそれぞれの１つを再構築することによって、前記複数のＰＤＵから前記複数のＳＤＵのそれぞれを受信機上位プロトコルにおいて取得する第３のモジュールとを具備する少なくとも１つのプロセッサ。
【請求項４４】
低減されたオーバーヘッドを有するデータパケット通信のためのコンピュータプログラムプロダクトにおいて、
送信機から受信機に最初のシーケンス番号を受信することをコンピュータに生じさせるための第１の組のコードと、
前記リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる、複数のパケットデータユニット（ＰＤＵ）を受信機下位プロトコルにおいて受信することを前記コンピュータに生じさせるための第２の組のコードと、
前記それぞれの送信されるシーケンス差分値により、前記最初のシーケンス番号から順番付けられた複数の送信機シーケンス番号のうちのそれぞれの１つを再構築することによって、前記複数のＰＤＵから前記複数のＳＤＵのそれぞれを受信機上位プロトコルにおいて取得することを前記コンピュータに生じさせるための第３の組のコードと、
を含むコンピュータ読み取り可能媒体を備えるコンピュータプログラムプロダクト。
【請求項４５】
低減されたオーバーヘッドを有するデータパケット通信のための装置において、
送信機から受信機に最初のシーケンス番号を受信する手段と、
前記リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる、複数のパケットデータユニット（ＰＤＵ）を受信機下位プロトコルにおいて受信する手段と、
前記それぞれの送信されるシーケンス差分値により、前記最初のシーケンス番号から順番付けられた複数の送信機シーケンス番号のうちのそれぞれの１つを再構築することによって、前記複数のＰＤＵから前記複数のＳＤＵのそれぞれを受信機上位プロトコルにおいて取得する手段とを具備する装置。
【請求項４６】
低減されたオーバーヘッドを有するデータパケット通信のための装置において、
リモート送信機から最初のシーケンス番号を受信するローカル受信機と、
前記リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる、複数のパケットデータユニット（ＰＤＵ）を受信機下位プロトコルにおいて処理し、前記それぞれの送信されるシーケンス差分値により、前記最初のシーケンス番号から順番付けられた複数の送信機シーケンス番号のうちのそれぞれの１つを再構築することによって、前記複数のＰＤＵから前記複数のＳＤＵのそれぞれを受信機上位プロトコルにおいて取得するデータパケットプロセッサとを具備する装置。
【請求項４７】
前記複数の送信機シーケンス番号に順次マッピングされた、送信されるシーケンス差分値を組み込むことによって、前記ＳＤＵに直接対応するＰＤＵを受信する、前記データパケットプロセッサの受信機下位プロトコルをさらに具備する請求項４６記載の装置。
【請求項４８】
各送信機シーケンス番号の先頭部分を省略することによって作成された、送信されたシーケンス差分値を受信する、前記データパケットプロセッサの受信機下位プロトコルをさらに具備する請求項４７記載の装置。
【請求項４９】
前記シーケンス差分値は、前記最初のシーケンス番号が送信機から受信機に信号送信された以降に送信される上位層ＰＤＵの数をカウントする請求項４６記載の装置。
【請求項５０】
前記送信機下位プロトコルによって各ＰＤＵに対して割り当てられた、別々の複数のシーケンス番号のうちの１つを受信する、前記データパケットプロセッサの受信機下位プロトコルをさらに具備する請求項４６記載の装置。
【請求項５１】
セグメント化されたＳＤＵを含むＰＤＵを受信する、前記データパケットプロセッサの受信機下位プロトコルをさらに具備する請求項５０記載の装置。
【請求項５２】
少なくとも２つのＳＤＵの連結を含むＰＤＵを受信する、前記データパケットプロセッサの受信機下位プロトコルをさらに具備する請求項５０記載の装置。
【請求項５３】
少なくとも２つのＳＤＵの連結と、セグメント化されたＳＤＵとを含むＰＤＵを受信する、前記データパケットプロセッサの受信機下位プロトコルをさらに具備する請求項５２記載の装置。
【請求項５４】
前記最初のシーケンス番号から順番付けられた複数の送信機シーケンス番号のうちのそれぞれの１つにより、前記ＳＤＵを解読する、前記データパケットプロセッサの受信機上位プロトコルをさらに具備する請求項４６記載の装置。
【請求項５５】
前記データパケットプロセッサの前記受信機上位プロトコルはパケットデータコンバージェンスプロトコルを含み、前記データパケットプロセッサの受信機下位プロトコルは無線リンク制御を含む請求項４６記載の装置。
【請求項５６】
前記送信機は、拡張ベースノードとユーザ機器とで構成されるグループから選択される一方のものを備え、前記受信機は、前記グループの他方のものを備える請求項５５記載の装置。
【請求項５７】
前記送信されるシーケンス差分値によって参照されるＳＤＵに対応するＰＤＵ中の欠けている部分を前記受信機下位プロトコルが検出することに基づく、再送信のための要求を送信するローカル送信機をさらに具備する請求項４６記載の装置。
【請求項５８】
前記受信機下位プロトコルは、初期値と、前記配信される上位層ＳＤＵの値との間の前記シーケンス差分値の表示を前記受信機上位プロトコルに提供する請求項４６記載の装置。
【発明の詳細な説明】
【合衆国法典第３５部第１１９条に基づく優先権の主張】
【０００１】
特許に対する本出願は、２００７年５月１日に出願され、“ＬＴＥにおける暗号化シーケンス番号”と題する米国仮特許出願シリアル番号第６０／９１５，４０４号と、２００７年５月４日に出願され、“ＬＴＥにおける暗号化シーケンス番号”と題する米国仮特許出願シリアル番号第６０／９１６，２６１号との両方に対する優先権を主張し、その両方は、この出願の譲受人に譲渡され、参照により明白にここに組み込まれている。
【発明の分野】
【０００２】
本開示はデータパケット通信システムに関係し、詳細には、プロトコルスタックの隣接層の両方が、それらのそれぞれのパケットデータユニット（ＰＤＵ）に対して別々のシーケンス番号を使用することを必要とするシステムに関係する。
【背景】
【０００３】
３ＧＰＰロング・ターム・エボリューション（ＬＴＥ）のような進化している通信システムは、トランシーバのレイヤー２の部分と考えられる２つの副層を結合するような、フラットアーキテクチャにおける共通ロケーティング機能によって、経済性を向上させ、待ち時間の低減を達成する。例えば、コアエンティティにおけるかつてのパケットデータコンバージェンスプロトコル（ＰＤＣＰ）と、無線ネットワーク制御装置におけるかつての無線リンク制御（ＲＬＣ）との両方は、現在、物理層とともに、拡張された基地局、いわゆる３ＧＰＰ標準規格に準拠する“進化型ベースノード（ｅＮｏｄｅＢ）”中にある。この拡張されたベーストランシーバ基地局（ＢＴＳ）は、ＬＴＥ電波インターフェースを提供し、進化型アクセスシステムに対して無線リソース管理を実行する。
【０００４】
プロトコルのそのような共通のロケーションにより、以前にＲＬＣのような下位層によってすべて取り扱われていた、いくつかの通信プロセスを分配する機会が存在する。例えば、再送信のような動作を取り扱うＲＬＣの代わりに、ＰＤＣＰ上位層において暗号化およびデータ圧縮を実行することが最近提案されている。いくつかの利点がそのような機能の分配によって実現されるが、オーバーヘッドのペナルティが結果として生ずる。上位層（例えば、ＰＤＣＰ）における、この分配された機能は、送信上位層によってＰＤＵにシーケンス番号を割り当てることを必要とする。解読のような目的のために、シーケンス番号は、ＰＤＵの後に受信上位層によって使用される。さらに、介在する送信機および受信機のそれぞれの下位層（例えば、ＲＬＣ）が、順序付け、再送信、ギャップ検出などのために、それら自身のシーケンス番号を必要とする。さらに、ＲＬＣは、上位層からのＰＤＵを連結またはセグメント化でき、受信機においてＰＤＵを取得する際に追加の複雑さを加える。
【概要】
【０００５】
開示する観点のうちのいくつかの観点の基本的な理解を提供するために、単純化した概要を以下で提示する。この概要は、広範囲にわたる概観ではなく、重要なまたは重大な要素を識別することも、そのような観点の範囲を詳細に描写することも意図していない。その目的は、後に提示されるより詳細な説明に対する前置きとして、単純化した形態で、説明される特徴のいくつかの概念を提示することである。
【０００６】
１つ以上の観点およびこれらの対応する開示にしたがって、送信機デバイスと受信機デバイスとの間で（例えば、電波によって）送信することなく、２つのパケットデータユニット（ＰＤＵ）シーケンス番号のうちの１つを再構築することに関連して、さまざまな観点を記述する。パケットデータコンバージェンスプロトコル（ＰＤＣＰ）が、各ＰＤＣＰ ＰＤＵに関係付けられている暗号化シーケンス番号を使用する。同じ暗号化シーケンス番号がＰＤＵを解読するために使用される。所定の暗号鍵に対して、有利なことに、同じシーケンス番号がセキュリティの弱点を回避するために一度だけ使用される。同じシーケンスを２度使用することは、データを暗号化するためにデータに対して排他的論理和演算される、同じ鍵のストリームを発生させる。鍵のストリームによって暗号化された１組のデータを知ることは、第２の組のデータを算出することが可能になることを意味する。無線リンク制御（ＲＬＣ）サービスが、送信機に送り出されたすべてのＲＬＣサービスデータユニット（ＳＤＵ）に対して受信が成功したかどうかを確実に示す。受信ＰＤＣＰが、ＲＬＣサービスによって提供される順序付け情報から暗号化シーケンス番号を計算する。
【０００７】
１つの観点において、低減されたオーバーヘッドを有するデータパケット通信の方法を提供する。最初のシーケンス番号が、送信機から受信機に信号送信される。複数のサービスデータユニット（ＳＤＵ）が、最初のシーケンス番号から順番付けられた複数の送信機シーケンス番号のうちのそれぞれの１つにより、送信機上位プロトコルにおいて処理される。複数のＳＤＵを取得する受信機において複数の送信機シーケンス番号のうちのそれぞれの１つを再構築するために、送信機下位プロトコルによる複数のパケットデータユニット（ＰＤＵ）が、送信されるシーケンス差分値にそれぞれ関係付けられている複数の送信機上位プロトコルＳＤＵを組み込むことによって発生され、受信機に送信される。送信されるシーケンス差分値は、最初のシーケンス番号が送信機から受信機に信号送信された以降に下位プロトコルによって送信される上位層ＳＤＵの数をカウントする。
【０００８】
別の観点において、低減されたオーバーヘッドを有するデータパケット通信のための少なくとも１つのプロセッサを提供する。第１のモジュールが、送信機から受信機に最初のシーケンス番号を信号送信する。第２のモジュールが、最初のシーケンス番号から順番付けられた複数の送信機シーケンス番号のうちのそれぞれの１つにより、送信機上位プロトコルにおいて複数のサービスデータユニット（ＳＤＵ）を処理する。第３のモジュールが
、複数のＳＤＵを取得する受信機において複数の送信機シーケンス番号のうちのそれぞれの１つを再構築するために、送信されるシーケンス差分値にそれぞれ関係付けられている複数の送信機上位プロトコルＳＤＵを組み込む送信機下位プロトコルによって、複数のパケットデータユニット（ＰＤＵ）を発生させ、複数のＰＤＵを受信機に送信する。
【０００９】
さらなる観点において、低減されたオーバーヘッドを有するデータパケット通信のためのコンピュータプログラムプロダクトを提供する。コンピュータ読み取り可能媒体が、送信機から受信機に最初のシーケンス番号を信号送信することと、最初のシーケンス番号から順番付けられた複数の送信機シーケンス番号のうちのそれぞれの１つにより、送信機上位プロトコルにおいて複数のサービスデータユニット（ＳＤＵ）を処理することと、複数のＳＤＵを取得する受信機において複数の送信機シーケンス番号のうちのそれぞれの１つを再構築するために、送信されるシーケンス差分値にそれぞれ関係付けられている複数の送信機上位プロトコルＳＤＵを組み込む送信機下位プロトコルによって、複数のパケットデータユニット（ＰＤＵ）を発生させ、複数のＰＤＵを受信機に送信することとをコンピュータに生じさせるためのコードのセットを含む。
【００１０】
さらなる観点において、低減されたオーバーヘッドを有するデータパケット通信のための装置を提供する。送信機から受信機に最初のシーケンス番号を信号送信する手段を提供する。最初のシーケンス番号から順番付けられた複数の送信機シーケンス番号のうちのそれぞれの１つにより、送信機上位プロトコルにおいて複数のサービスデータユニット（ＳＤＵ）を処理する手段を提供する。複数のＳＤＵを取得する受信機において複数の送信機シーケンス番号のうちのそれぞれの１つを再構築するために、送信されるシーケンス差分値にそれぞれ関係付けられている複数の送信機上位プロトコルＳＤＵを組み込む送信機下位プロトコルによって、複数のパケットデータユニット（ＰＤＵ）を発生させ、複数のＰＤＵを受信機に送信する手段を提供する。
【００１１】
別の追加の観点において、低減されたオーバーヘッドを有するデータパケット通信のための装置を提供する。ローカル送信機が、最初のシーケンス番号をリモート受信機に信号送信する。データパケットプロセッサが、最初のシーケンス番号から順番付けられた複数の送信機シーケンス番号のうちのそれぞれの１つにより、送信機上位プロトコルにおいて複数のサービスデータユニット（ＳＤＵ）を処理し、複数のＳＤＵを取得する受信機において複数の送信機シーケンス番号のうちのそれぞれの１つを再構築するために、送信されるシーケンス差分値にそれぞれ関係付けられている複数の送信機上位プロトコルＳＤＵを組み込む送信機下位プロトコルによって、複数のパケットデータユニット（ＰＤＵ）を発生させ、ＰＤＵは、ローカル送信機によってリモート受信機に送信される。
【００１２】
さらに他の１つの観点において、低減されたオーバーヘッドを有するデータパケット通信の方法を提供する。最初のシーケンス番号が、送信機から受信機に受信される。受信機下位プロトコルにおいて受信される複数のパケットデータユニット（ＰＤＵ）が、リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる。それぞれの送信されるシーケンス差分値により、最初のシーケンス番号から順番付けられた複数の送信機シーケンス番号のうちのそれぞれの１つを再構築することによって、複数のＳＤＵのそれぞれは、複数のＰＤＵから受信機上位プロトコルにおいて取得される。
【００１３】
さらに別の観点において、低減されたオーバーヘッドを有するデータパケット通信のための少なくとも１つのプロセッサを提供する。第１のモジュールが、送信機から受信機に最初のシーケンス番号を受信する。第２のモジュールが、リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる、複数のパケットデータユニット（ＰＤＵ）を受信機下位プロトコルにおいて受信する。第３のモジュールが、それぞれの送信されるシーケンス差分値により、最初のシーケンス番号から順番付けられた複数の送信機シーケンス番号のうちのそれぞれの１つを再構築することによって、複数のＰＤＵから複数のＳＤＵのそれぞれを受信機上位プロトコルにおいて取得する。
【００１４】
さらに追加の観点において、低減されたオーバーヘッドを有するデータパケット通信のためのコンピュータプログラムプロダクトを提供する。コンピュータ読み取り可能媒体が、送信機から受信機に最初のシーケンス番号を受信することと、リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる、複数のパケットデータユニット（ＰＤＵ）を受信機下位プロトコルにおいて受信することと、それぞれの送信されるシーケンス差分値により、最初のシーケンス番号から順番付けられた複数の送信機シーケンス番号のうちのそれぞれの１つを再構築することによって、複数のＰＤＵから複数のＳＤＵのそれぞれを受信機上位プロトコルにおいて取得することとをコンピュータに生じさせるためのコードのセットを含む。
【００１５】
さらなる観点において、低減されたオーバーヘッドを有するデータパケット通信のための装置を提供する。送信機から受信機に最初のシーケンス番号を受信する手段を提供する。リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる、複数のパケットデータユニット（ＰＤＵ）を受信機下位プロトコルにおいて受信する手段を提供する。それぞれの送信されるシーケンス差分値により、最初のシーケンス番号から順番付けられた複数の送信機シーケンス番号のうちのそれぞれの１つを再構築することによって、複数のＰＤＵから複数のＳＤＵのそれぞれを受信機上位プロトコルにおいて取得する手段を提供する。
【００１６】
さらに別の追加の観点において、低減されたオーバーヘッドを有するデータパケット通信のための装置を提供する。ローカル受信機が、リモート送信機から最初のシーケンス番号を受信する。データパケットプロセッサが、リモート送信機の送信機下位プロトコルによって発生され、送信され、かつ、送信されるシーケンス差分値にそれぞれ関係付けられている複数の送信機上位プロトコルサービスデータユニット（ＳＤＵ）を組み込んでいる、受信機下位プロトコルにおいて受信される複数のパケットデータユニット（ＰＤＵ）を処理し、それぞれの送信されるシーケンス差分値により、最初のシーケンス番号から順番付けられた複数の送信機シーケンス番号のうちのそれぞれの１つを再構築することによって、複数のＰＤＵから複数のＳＤＵのそれぞれを受信機上位プロトコルにおいて取得する。
【００１７】
前述の、および関連する目的の達成に対して、１つ以上の観点は、以下で十分に記述した特徴および特許請求の範囲で特に指摘した特徴を備える。以下の記述および添付の図面は、いくつかの実例となる観点を詳細に示し、本観点の原理を用いてもよいさまざまな方法のうちのいくつかだけを示す。図面とともに考慮するとき、他の利点および新規な特徴が、以下の詳細な説明から明らかになり、開示する観点は、すべてのこのような観点およびそれらの均等物を含むように意図されている。
【００１８】
同じ参照文字が全体にわたって対応したものを識別する図面に関連して考慮されるとき、以下で示した詳細な説明から、本開示の特徴、本質および利点は、より明らかになるだろう。
【図面の簡単な説明】
【００１９】
【図１】図１は、別々のパケットシーケンス番号を必要とする、プロトコルスタックの２つの層がシーケンス番号の１つだけを送信する、低減されたオーバーヘッドに対するデータパケット通信システムのブロック図を図示する。
【図２】図２は、解読のために受信機で再構築される暗号化シーケンス番号の送信を回避する方法のフロー図を説明する。
【図３】図３は、失われない下位層シーケンス番号を使用する、２つの送信機層プロトコルと、２つの受信機層プロトコルとの間のタイムチャートを図示する。
【図４】図４は、パケットデータユニット（ＰＤＵ）の送信損失を有する、図２の、２つの送信機層プロトコルと、２つの受信機層プロトコルとの間のタイムチャートを図示する。
【図５】図５は、代替として上位層のシーケンス番号を使用する、２つの送信機層プロトコルと、２つの受信機層プロトコルとの間のタイムチャートを図示する。
【図６】図６は、ポーリングコマンドを受信機に送るモジュールを有する送信機に対するブロック図を図示する。
【図７】図７は、ポーリングコマンドを受信し、ステータスＰＤＵにより応答するモジュールを有する受信機に対するブロック図を図示する。
【図８】図８は、低減されたオーバーヘッドのパケット送信のためのモジュールを備える、通信システムの送信機を図示する。
【図９】図９は、低減されたオーバーヘッドのパケット受信のためのモジュールを備える、通信システムの受信機を図示する。
【詳細な説明】
【００２０】
データパケット通信システムは、送信機（ＴＸ）と受信機（ＲＸ）との間の送信に関して、レイヤー２中のパケットデータコンバージェンスプロトコル（ＰＤＣＰ）と無線リンク制御（ＲＬＣ）においてデータの暗号化を用いる。暗号化されたデータパケット通信の前に、単一のシーケンス番号をＰＤＣＰおよびＲＬＣの両方に対して使用して、ＴＸ ＰＤＣＰの最初の暗号化シーケンス番号をＲＸに信号送信することによって、オーバーヘッドを低減させる。シーケンス番号は、各ＲＬＣ ＰＤＵに付随し、各ＲＬＣ ＰＤＵは、より高い層のＰＤＣＰからの、連結された、またはセグメント化されたサービスデータユニット（ＳＤＵ）を包含できる。このシーケンス番号は、ＲＬＣが順序付け、ギャップ検出、再送信などを実行するのに十分であり、一方、コンテンツを暗号化するために使用された順番付けられた値をＲＸの上位層のＰＤＣＰが再構築することを可能にする。
【００２１】
図面に対する参照とともに、さまざまな実施形態をこれから記述する。以下の記述において、説明のため、１つ以上の実施形態の完全な理解を提供するために、多数の特定の詳細な説明を示す。しかしながら、これらの特定の詳細な説明なしに、さまざまな観点を実施できることは明白であるかもしれない。他の例において、これらの観点を記述することを容易にするために、よく知られている構造およびデバイスをブロック図の形態で示す。
【００２２】
本出願中で使用されるような、用語“コンポーネント”、“モジュール”、“システム”およびこれらに類似するものは、コンピュータ関連エンティティ、ハードウェア、ハードウェアおよびソフトウェアの組み合わせ、ソフトウェア、または実行中のソフトウェアに言及するように向けられている。例えば、コンポーネントは、プロセッサ上で実行するプロセス、プロセッサ、オブジェクト、実行ファイル、実行のスレッド、プログラム、および／またはコンピュータであってもよいが、これらに限定されない。実例として、サーバ上で実行するアプリケーションおよびサーバの両方をコンポーネントとすることができる。１つ以上のコンポーネントが１つのプロセスおよび／または実行のスレッド内に存在してもよく、コンポーネントが１つのコンピュータ上にローカライズされてもよく、および／または２つ以上のコンピュータ間に分散されてもよい。
【００２３】
語“例示的な”は、例、具体例、または実例としての機能を果たすことを意味するようにここでは使用されている。“例示的な”としてここで記述した任意の観点または設計は、他の観点または設計に対して、好ましいまたは有利であるように必ずしも解釈すべきではない。
【００２４】
さらに、開示する観点を実現するコンピュータを制御するためのソフトウェア、ファームウェア、ハードウェア、またはこれらの任意の組み合わせを生成させる、標準プログラミングおよび／または工学技術を使用する方法、装置、または製造品として、１つ以上のバージョンを実現してもよい。ここで使用する用語“製造品”（または代わりに、“コンピュータプログラムプロダクト”）は、任意のコンピュータ読み取り可能デバイス、キャリア、または媒体からアクセス可能なコンピュータプログラムを含むように意図されている。例えば、コンピュータ読み取り可能媒体は、磁気記憶デバイス（例えば、ハードディスク、フロッピー（登録商標）ディスク、磁気ストリップ．．．）、光ディスク（例えば、コンパクトディスク（ＣＤ）、デジタルバーサタイルディスク（ＤＶＤ）．．．）、スマートカード、およびフラッシュメモリデバイス（例えば、カード、スティック）を含むことができるが、それらに限定されない。さらに、搬送波を用いて、電子メールを送信および受信する際に、あるいは、インターネットまたはローカルエリアネットワーク（ＬＡＮ）のようなネットワークにアクセスする際に、使用されるような、コンピュータ読み取り可能な電子データを搬送できる。もちろん、開示する観点の範囲から逸脱することなく、この構成に対して多くの修正を実施できることを当業者は認識するだろう。
【００２５】
多数のコンポーネント、モジュールおよびこれらに類似するものを含んでいてもよいシステムの点から、さまざまな観点を表す。さまざまなシステムは、追加のコンポーネント、モジュールなどを含んでいてもよく、および／または図面とともに論じられる、すべてのコンポーネント、モジュールなどを含んでいなくてもよいことを理解および認識すべきである。これらのアプローチの組み合わせを使用してもよい。ここで開示するさまざまな観点は、タッチスクリーンディスプレイ技術ならびに／あるいは、マウスおよびキーパッドタイプのインターフェースを利用するデバイスを含む電気デバイス上で実行できる。そのようなデバイスの例は、コンピュータ（デスクトップおよびモバイル）、スマート電話機、パーソナルデジタルアシスタント（ＰＤＡ）、ワイヤレス電話機、ワイヤレススマート電話機、ワイヤレスデータカード、ならびにワイヤードおよびワイヤレスの両方の他の電子デバイスを含む。
【００２６】
図１中の図面に目を向けると、送信機１０２および受信機１０４の間のデータパケット通信に対する通信システム１００が、２つの、複数のシーケンス番号のうちの１つを送信する必要性を回避することにより、オーバーヘッドを低減させる。送信機１０２のより高いレベルのプロトコルまたはアプリケーション１０６は、ＩＰパケット１０８、１１０として描写される、通信のためのコンテンツを有しており、ＩＰパケット１０８、１１０は、パケットデータコンバージェンスプロトコル（ＰＤＣＰ）１１４として描写される上位レベルプロトコルに、サービスデータユニット（ＳＤＵ）１１２として転送される。例示的な構成において、ＰＤＣＰ１１４は、暗号化コンポーネント１１５を含むことができ、暗号化コンポーネント１１５は、送信機において暗号化し、受信機１０４において解読するための連続した鍵を必要とする。これは、シーケンス番号“Ｕ”１１８として描写される送信機暗号化シーケンス番号（ＴＣＳＮ）により暗号化される第１のＰＤＵ１１６によって図示される。ＰＤＵ１１６は、第１のＩＰパケット１０８をパッケージ化する。第２のＰＤＵ１２０が、インクリメントされたシーケンス番号“Ｕ”１２２として描写される、別のＴＣＳＮにより暗号化され、第２のＩＰパケット１１０をパッケージ化する。ＰＤＣＰ１１４は、無線リンク層（ＲＬＣ）１２６として描写される、下位層プロトコルのサービスアクセスポイントに、ＳＤＵ１２４としてＰＤＵ１１６、１２０を移送する。
【００２７】
ＲＬＣ１２６は、受信、再送信および他の動作を追跡するために、“Ｌ”１２８として描写されているＲＬＣシーケンス番号を使用する。実例となる描写において、ＲＬＣ１２６は、ＲＬＣ機能を実行するためにシーケンス番号“Ｎ”１３０を使用して、連結されたＰＤＵ１２６を生成できる。連結されたＰＤＵ１２６は、ＰＤＵ１１６、１２０として描写される、上位プロトコルＰＤＣＰ１１４からの１つより多いＳＤＵ１２４を送信する。境界データ１３２が、２つのＰＤＵ１１６、１２０を少なくとも部分的に識別するために指定される。代わりに、または加えて、ＲＬＣ１２６は、シーケンス番号“Ｎ”１３６によって識別される、セグメント化されたＰＤＵ１３４を発生させ、送信して、ＰＤＣＰ１１４からの部分的なＳＤＵ１３８を送ることができる。代わりに、または加えて、ＲＬＣ１２６は、直接マッピングされたシーケンス番号（例えば、先頭部分が省略された、ＰＤＣＰからのシーケンス番号）とともに、ＰＤＣＰ１１４から受け取った１つのＳＤＵ１２４に直接対応する（示していない）ＰＤＵを送ることができる。代わりに、または加えて、ＲＬＣ１２６は、所望の送信サイズを達成するために、ＰＤＣＰ１１４からの連結されたＳＤＵ１２４と部分的なＳＤＵ１２４との両方を有する（示していない）複合ＰＤＵを送ることができる。
【００２８】
ＰＤＵ１２６、１３４は、データパケット受信機１０４への送信のために、媒体アクセス層（ＭＡＣ）１４０に転送され、次に、物理層（ＰＨＹ）１４２に転送される。有利なことに、ＰＤＣＰ１１４およびＲＬＣ１２６によって必要とされる２つのシーケンス番号は、（ａ）Ｕ＝ＮかつＬ＝ｆ（Ｎ）、または（ｂ）Ｕ＝ｆ（Ｎ）かつＬ＝Ｎのいずれかとして描写されるように、導出できることから、送信機１０２から受信機１０４への送信は、オーバーヘッドを低減させるために１つのシーケンス番号だけを含む。この低減されたオーバーヘッドは、暗号化されたデータを交換する前に、送信機１０２から信号送信された最初のシーケンス番号１４４を用いる受信機１４６に十分である。同期化コンポーネント１４６は、それによって、解読コンポーネント１４８に対して必要とされる適切なシーケンス番号を識別して、ＰＤＣＰ１１４である送信機上位プロトコルからの各ＰＤＵ１１６、１２０を取得できる。
【００２９】
ＰＤＣＰ１１４およびＲＬＣ１２６は、電気通信システムの“レイヤー２”における隣接プロトコルであり、それらは、とりわけ、例えば３ＧＰＰにおけるＨＳＰＡのＲＬＣおよびＬＴＥのＲＬＣとしてＡＲＱ（自動再送要求）を可能にすることを本開示の利益とともに理解すべきである。さらに、ここで記述する技術は、ＣＤＭＡ、ＴＤＭＡ、ＦＤＭＡ、ＯＦＤＭＡ、ＳＣ−ＦＤＭＡおよび他のシステムのようなさまざまなワイヤレス通信システムに対して使用してもよい。用語“システム”および“ネットワーク”は、区別なく使用されることが多い。ＣＤＭＡシステムは、ユニバーサル地上無線アクセス（ＵＴＲＡ）、ｃｄｍａ２０００などのような無線技術を実現してもよい。ＵＴＲＡは、広帯域−ＣＤＭＡ（Ｗ−ＣＤＭＡ）と、ＣＤＭＡの他の変形体とを含む。ＣＤＭＡ２０００は、ＩＳ−２０００、ＩＳ−９５およびＩＳ−８５６の標準規格をカバーする。ＴＤＭＡシステムは、移動体通信用グローバルシステム（ＧＳＭ）のような無線技術を実現してもよい。ＯＦＤＭＡシステムは、進化型ＵＴＲＡ（Ｅ−ＵＴＲＡ）や、ウルトラ・モバイル・ブロードバンド（ＵＭＢ）や、ＩＥＥＥ８０２．１１（Ｗｉ−Ｆｉ）や、ＩＥＥＥ８０２．１６（ＷｉＭＡＸ）や、ＩＥＥＥ８０２．２０や、フラッシュ−ＯＦＤＭ（登録商標）などのような無線技術を実現してもよい。ＵＴＲＡは、ユニバーサル移動体電気通信システム（ＵＭＴＳ）の一部である。Ｅ−ＵＴＲＡは、３ＧＰＰの今後のリリースである、３ＧＰＰロングタームエボリューション（ＬＴＥ）の一部であり、ダウンリンク上でＯＦＤＭＡを用い、アップリンク上でＳＣ−ＦＤＭＡを用いる。ＵＴＲＡ、Ｅ−ＵＴＲＡ、ＵＭＴＳ、ＬＴＥおよびＧＳＭは、“第３世代パートナーシップ・プロジェクト”（３ＧＰＰ）と名付けられた組織からの文書で説明されている。ＣＤＭＡ２０００およびＵＭＢは、“第３世代パートナーシップ・プロジェクト２”（３ＧＰＰ２）と名付けられた組織からの文書で説明されている。これらのさまざまな無線技術および標準規格は技術的に知られている。
【００３０】
図２は、請求されている主題にしたがう、方法および／またはフロー図を図示する。説明を簡単にするために、方法は、一連の動作として描写され、記述されている。主題のイノベーションは、説明されている動作によって、および／または動作の順序によって限定されないことを理解および認識すべきである。例えば、動作は、さまざまな順序で、および／または、ここで表し、記述していない他の動作と同時に生じてもよい。さらに、請求されている主題にしたがって方法を実現するために、図示した動作のすべてを必要としなくてもよい。さらに、状態図またはイベントによって、一連の相関図として方法を代わりに表すことができることを当業者は理解および認識するだろう。さらに、以下で、およびこの明細書全体にわたって開示する方法は、そのような方法をコンピュータに移送および転送することを容易する製造品上で記憶できる。ここで使用するような、製造品の用語は、任意のコンピュータ読み取り可能デバイス、キャリア、または媒体からアクセス可能なコンピュータプログラムを包含するように向けられている。
【００３１】
図２は、データパケット通信に対してオーバーヘッドを低減させる方法２００の１つの例のフローチャートである。最初の暗号化シーケンス番号（ＦＣＳＮ）に基づいて暗号を使用する前に、または、暗号がすでに使用されている間に、別のシグナリングチャネルによって、送信機（ＴＸ）ＰＤＣＰは、ＦＣＳＮを受信機（ＲＸ）ＰＤＣＰに信号送信する（ブロック２０２）。ＴＸ ＰＤＣＰは、ローカル送信機暗号化シーケンス番号（ＴＣＳＮ）をＦＣＳＮに設定する（ブロック２０４）。ＲＸ ＰＤＣＰが、ローカル受信機暗号化シーケンス番号（ＲＣＳＮ）をＦＣＳＮに設定する（ブロック２０６）。ＴＸ ＰＤＣＰは、１つのサービスデータユニット（ＳＤＵ）を処理した後に、ＴＳＣＮを反復してインクリメントすることによって、より高い層（例えば、アプリケーション）から受け取った各ＳＤＵを暗号化する（ブロック２０８）。ＴＸ ＰＤＣＰは、ＳＤＵとして、暗号化されたＰＤＣＰパケットデータユニット（ＰＤＵ）を、ＲＬＣのサービスアクセスポイント（ＳＡＰ）に送る（ブロック２１０）。ＴＳＣＮは、ＰＤＣＰ ＰＤＵヘッダの一部として含まれていないが、それをＲＬＣ ＳＡＰに示してもよいことが注目される。ＲＬＣは、必要に応じて、送信および再送信のために、ＳＤＵを発生させるか、またはパッケージ化する。さまざまな考察次第で、このパッケージングは、１対１の関係、受け取ったＳＤＵの連結、受け取ったＳＤＵのセグメント化、またはＳＤＵのセグメント化された部分をともなうＳＤＵの連結とすることができる。ＲＬＣは、１つのＲＬＣシーケンス番号を各ＰＤＣＰ ＰＤＵに関係付ける。それにより、ＲＬＣは、順序付けられた配信、失われたＰＤＵの再送信を含む、その動作を実行することが可能になる。さらに、ＰＤＣＰシーケンス番号は、シーケンス番号の差によって維持できる。ＲＬＣ ＰＤＵは次に、送信機から受信機への送信のために、ＭＡＣおよびＰＨＹの層によって取り扱われる（ブロック２１４）。ＲＸ ＲＬＣが、シーケンス番号の差をＲＸ ＰＤＣＰに提供し（ブロック２１６）、それにより、ＲＬＣ ＰＤＵが失われている場合でさえ、同期が維持されることが保証される。送信機によって受信機に送られる最初の暗号化シーケンス番号との間のシーケンス番号の差は、最初の暗号化シーケンス番号がＲＣＳＮを計算するために使用されることに同調して使用される（ブロック２１８）。ＲＸ ＰＤＣＰは、ＲＣＳＮを使用してＰＤＣＰ ＳＤＵを解読する（ブロック２２０）。
【００３２】
上述の同期化方法２００により、受信機は、その暗号化されたユニットを搬送するために使用される、暗号化シーケンス番号（Ｃｏｕｎｔ−ｃ）およびＲＬＣシーケンス番号（ＲＬＣ＿ＳＮ＿０）のスナップショットを撮ることが可能になることを理解すべきである。その後、ＲＬＣは、ＲＬＣシーケンス番号ＲＬＣ＿ＳＮ＿Ｚを使用しているＳＤＵをＰＤＣＰに配信する。暗号化シーケンス番号は、現在の計算される暗号化シーケンス番号＝Ｃｏｕｎｔ−ｃ＋（ＲＬＣ＿ＳＮ＿Ｚ−ＲＬＣ＿ＳＮ＿０）として計算できる。図３において、送信機（ＴＸ）４０６の、上位層プロトコル４０２から、階層プロトコル４０４に、次に、受信機（ＲＸ）４１２の、下位層プロトコル４０８に、それから上位層プロトコル５１０に、失われない下位層シーケンス番号を使用する例示的なタイムチャートとして方法４００が描写されている。４２０において描写するように、ＴＸ上位層プロトコル４０２が、より高い層のプロトコルのシーケンス番号を信号送信することによって、ＲＸ上位層プロトコル４０８を（Ｎに）同期化する。４２２において描写するように、ＴＸ上位層プロトコル４０２はシーケンス番号Ｎを使用してＰＤＵを処理し、４２４において描写するように、シーケンス番号を含まない、ＴＸ下位層プロトコル４０４に対する送信が続く。次に、４２６において描写するように、送信機４０８から受信機４１２のＲＸ下位層プロトコル４０６に対して、ＴＸ下位層プロトコル４０４は、シーケンス番号と上位層ＰＤＵとを含む下位層ＰＤＵの送信を生じさせる。４２８において描写するように、ＲＸ上位層プロトコル４１０に報告するために、ＲＸ下位層プロトコル４０８は、そのシーケンス番号を使用して上位層ＰＤＵの受信を決定する。ＲＸ上位層プロトコル４０８は、シーケンス番号Ｎを使用して、この最初のパスにおいて、同じ番号Ｎである、ＴＸ上位層プロトコル４０２によってＰＤＵを処理するために使用されたシーケンス番号を再構築する（例えば、解読する）。
【００３３】
図４において、データ損失を有する例を説明するために、方法４００は、４５０において描写するように、シーケンス番号の同期化を前と同じように必要とするときに生じる別の例を続ける。４５２において描写するように、ＴＸ上位層プロトコル４０２がシーケンス番号Ｎを使用してＰＤＵを処理し、４５４において描写するように、シーケンス番号を含まない、ＴＸ下位層プロトコル４０４に対する送信が続く。次に、４５６において描写するように、送信機４０８から受信機４１２のＲＸ下位層プロトコル４０６に対して、ＴＸ下位層プロトコル４０４は、ＲＬＣ下位層シーケンス番号と上位層ＰＤＵとを含む下位層ＰＤＵの送信を生じさせる。４５８において描写するように、移動中、上位層ＰＤＵが消去される。４６２において描写するように、ＴＸ上位層プロトコル４０２は、インクリメントされたシーケンス番号Ｎ＋１を使用してＰＤＵを処理し、４６４において描写するように、シーケンス番号を含まない、ＴＸ下位層プロトコル４０４に対する送信が続く。次に、４６６において描写するように、送信機４０８から受信機４１２のＲＸ下位層プロトコル４０６に対して、ＴＸ下位層プロトコル４０４は、ＲＬＣシーケンス番号と上位層ＰＤＵとを含む下位層ＰＤＵの送信を生じさせる。４６０において描写するように、ＲＸ上位層プロトコル４０８に報告するために、ＲＸ下位層プロトコル４０８は、後に受信したＰＤＵのシーケンス番号を使用して上位層ＰＤＵの受信が無いことを決定する。４６８において描写するように、ＲＸ上位層プロトコル４０８に報告するために、ＲＸ下位層プロトコル４０８は、そのシーケンス番号を使用して上位層ＰＤＵの受信を決定する。ＲＸ上位層プロトコル４０８は、ＲＬＣシーケンス番号に基づいた、提供されたデルタ情報を使用して、ＴＸ上位層プロトコル４０２によってＰＤＵを処理する（例えば、暗号化する）ために使用されたシーケンス番号Ｎ＋１を再構築する。
【００３４】
図５において、送信機（ＴＸ）５０６の、上位層プロトコル５０２から階層プロトコル５０４に、次に、受信機（ＲＸ）５１２の、下位層プロトコル５０８に、それから上位層プロトコル５１０に、通信のために上位層シーケンス番号を使用する例示的なタイムチャートとして方法５００が描写されている。５２０において描写するように、ＴＸ上位層プロトコル５０２が、より高い層のプロトコルの完全なシーケンス番号を信号送信することによって、ＲＸ上位層プロトコル５０８を（Ｎに）同期化する。５２２において描写するように、ＴＸ上位層プロトコル５０２はシーケンス番号Ｎを使用してＰＤＵを処理し、５２４において描写するように、シーケンス番号の最下位桁のいくつかまたはすべてを含む、ＴＸ下位層プロトコル５０４に対する送信が続く。次に、５２６において描写するように、送信機５０８から受信機５１２のＲＸ下位層プロトコル５０６に対して、ＴＸ下位層プロトコル５０４は、上位層シーケンス番号の最下位桁のいくつかまたはすべてと上位層ＰＤＵとを含む下位層ＰＤＵの送信を生じさせる。したがって、フルの暗号化シーケンス番号を使用して最初に同期化し、次に、暗号化シーケンス番号の最下位ビットのうちのいくつかを各暗号化されたパケットとともに無線によって信号送信するために、比較的低いオーバーヘッドが必要とされる。暗号化シーケンス番号のそれらのいくつかのビットは、例えば、ＰＤＣＰ ＰＤＵ、ＲＬＣヘッダまたはＭＡＣヘッダにおいて搬送してもよい。それらのビットがＰＤＣＰ ＰＤＵに追加される場合、ＰＤＵのバイトを揃えておくために８ビットを加えることができる。代わりに、これらのビットは、それらのうちのいくつか（例えば、３ビット）を送ることによって、ＲＬＣまたはＭＡＣヘッダに置くことができ、その結果、差分値“デルタ”を計算することを必要とせず、望まれるときはいつでも、ＲＬＣをリセットすることが可能になる。順序付け、ギャップ検出、再送信などのようなＲＬＣ機能は、上位層シーケンス番号に関連して実行される。さらに、最初の送信および再送信に必要なとき、ＲＬＣプロトコルは、上位層ＰＤＵのセグメント化を実行する。５２８において描写するように、ＲＸ上位層プロトコル５０８に報告するために、ＲＸ下位層プロトコル５０８は、上位層シーケンス番号を使用して上位層ＰＤＵの受信を決定する。ＲＸ上位層プロトコル５０８はシーケンス番号を使用して、ＴＸ上位層プロトコル５０２によってＰＤＵを処理するために使用された完全なシーケンス番号を再構築する（例えば、解読する）。
【００３５】
ワイヤレス通信システムは、音声、データなどのような、さまざまなタイプの通信コンテンツを提供するために広く展開されていることを理解すべきである。これらのシステムは、利用可能なシステムリソース（例えば、帯域幅および送信電力）を共有することにより複数のユーザとの通信をサポートできる多元接続システムであってもよい。そのような多元接続システムの例は、コード分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【００３６】
一般に、ワイヤレス多元接続通信システムは、複数のワイヤレス端末に対する通信を同時にサポートできる。各端末は、フォワードリンクおよびリバースリンク上での送信により、１つ以上の基地局と通信する。フォワードリンク（すなわちダウンリンク）は、基地局から端末への通信リンクを指し、リバースリンク（すなわちアップリンク）は、端末から基地局への通信リンクを指す。この通信リンクは、単一入力単一出力（ＳＩＳＯ）システム、複数入力単一出力または複数入力複数出力（ＭＩＭＯ）システムによって確立してもよい。
【００３７】
ＭＩＭＯシステムは、データ送信のために、複数（ＮT本）の送信アンテナと、複数（ＮR本）の受信アンテナとを用いる。ＮT本の送信アンテナおよびＮR本の受信アンテナにより形成されるＭＩＭＯチャネルは、ＮS≦最小値｛ＮT，ＮR｝である、ＮS個の独立したチャネルに分解してもよい。ＮS個の独立したチャネルは空間チャネルとも呼ばれている。ＮS個の独立したチャネルのそれぞれは、１つの次元に対応する。複数の送信および受信アンテナによって生成される追加の次元が利用される場合、ＭＩＭＯシステムは、向上した性能（例えば、より高いスループットおよび／または信頼性の向上）を提供できる。
【００３８】
ＭＩＭＯシステムは、時分割複信（ＴＤＤ）および周波数分割複信（ＦＤＤ）システムをサポートする。ＴＤＤシステムにおいて、フォワードおよびリバースリンク送信は、同じ周波数領域上であり、そのため、相反定理により、リバースリンクチャネルからフォワードリンクチャネルの推定が可能になる。これにより、複数のアンテナがアクセスポイントにおいて利用可能であるとき、アクセスポイントがフォワードリンク上で送信ビームフォーミングの利得を抽出することが可能になる。
【００３９】
図６を参照すると、１つの観点にしたがう多元接続ワイヤレス通信システムが図示されている。アクセスポイント６００（ＡＰ）は複数のアンテナグループを含み、１つのグループが６０４および６０６を含み、別のグループが６０８および６１０を含み、さらなるグループが６１２および６１４を含んでいる。図６において、２つのアンテナだけが各アンテナグループに対して示されているが、より多い、またはより少ないアンテナを各アンテナグループに対して利用してもよい。アクセス端末６１６（ＡＴ）は、アンテナ６１２および６１４と通信しており、ここでアンテナ６１２および６１４は、フォワードリンク６２０によってアクセス端末６１６に情報を送信し、リバースリンク６１８によってアクセス端末６１６から情報を受信する。アクセス端末６２２は、アンテナ６０６および６０８と通信しており、ここでアンテナ６０６および６０８は、フォワードリンク６２６によってアクセス端末６２２に情報を送信し、リバースリンク６２４によってアクセス端末６２２から情報を受信する。ＦＤＤシステムにおいて、通信リンク６１８、６２０、６２４および６２６は、通信に対して異なる周波数を使用してもよい。例えば、フォワードリンク６２０は、リバースリンク６１８によって使用される周波数とは異なる周波数を使用してもよい。
【００４０】
通信するために設計される、アンテナの各グループ、および／またはエリアは、アクセスポイントのセクタと呼ばれることが多い。本観点において、アンテナグループはそれぞれ、アクセスポイント６００によってカバーされるエリアのセクタにおけるアクセス端末に伝達するように設計されている。
【００４１】
フォワードリンク６２０および６２６による通信において、アクセスポイント６００の送信アンテナは、異なるアクセス端末６１６および６２４に対するフォワードリンクの信号対雑音比を向上させるためにビームフォーミングを利用する。さらに、ビームフォーミングを使用して、そのカバレッジを通してランダムに分散されているアクセス端末に送信するアクセスポイントは、単一のアンテナによってすべてのそのアクセス端末に送信するアクセスポイントよりも、近隣のセルにおけるアクセス端末に対してより少ない干渉を生じさせる。
【００４２】
アクセスポイントは、端末と通信するために使用される固定局であってもよく、アクセスポイント、ノードＢまたは他のいくつかの用語で呼ばれることもある。アクセス端末はまた、アクセス端末、ユーザ機器（ＵＥ）、ワイヤレス通信デバイス、端末、アクセス端末または他のいくつかの用語で呼ばれることもある。
【００４３】
図７は、ＭＩＭＯシステム７００における送信機システム７１０（アクセスポイントとしても知られている）および受信機システム７５０（アクセス端末としても知られている）の観点のブロック図である。送信機システム７１０において、多数のデータストリームに対するトラフィックデータが、データ源７１２から送信機（ＴＸ）データプロセッサ７１４に提供される。
【００４４】
１つの観点において、各データストリームが、それぞれの送信アンテナによって送信される。ＴＸデータプロセッサ７１４は、各データストリームに対して選択された特定のコーディングスキームに基づいてそのデータストリームに対するトラフィックデータをフォーマットし、コード化し、インターリーブして、コード化されたデータを提供する。
【００４５】
各データストリームに対してコード化されたデータは、ＯＦＤＭ技術を使用して、パイロットデータと多重化してもよい。パイロットデータは一般に、既知の方法で処理される既知のデータパターンであり、チャネル応答を推定するために受信機システムにおいて使用してもよい。各データストリームに対して多重化されたパイロットおよびコード化されたデータは、そのデータストリームに対して選択される特定の変調スキーム（例えば、ＢＰＳＫ、ＱＳＰＫ、Ｍ−ＰＳＫまたはＭ−ＱＡＭ）に基づいて変調（例えば、シンボルマッピング）されて、変調シンボルが提供される。各データストリームに対するデータレート、コーディング、および変調は、プロセッサ７３０により実行される命令によって決定してもよい。
【００４６】
すべてのデータストリームに対する変調シンボルは、ＴＸ ＭＩＭＯプロセッサ７２０に提供され、ＴＸ ＭＩＭＯプロセッサ７２０は、（例えば、ＯＦＤＭに対する）変調シンボルをさらに処理してもよい。ＴＸ ＭＩＭＯプロセッサ７２０は、次に、ＮT個の変調シンボルストリームをＮT個の送信機（ＴＭＴＲ）７２２ａないし７２２ｔに提供する。いくつかの構成において、ＴＸ ＭＩＭＯプロセッサ７２０は、データストリームのシンボルと、シンボルが送信されているアンテナとに対してビームフォーミングの重みを適用する。
【００４７】
各送信機７２２は、それぞれのシンボルストリームを受け取って、処理して、１つ以上のアナログ信号を提供し、さらにアナログ信号を調整して（例えば、増幅し、フィルタリングし、アップコンバートする）、ＭＩＭＯチャネルに対して送信に適切な変調信号を提供する。送信機７２２ａないし７２２ｔからのＮT個の変調信号は、それぞれＮT個のアンテナ７２４ａないし７２４ｔから送信される。
【００４８】
受信機システム７５０において、送信された変調信号が、ＮR個のアンテナ７５２ａないし７５２ｒによって受信され、各アンテナ７５２からの受信信号は、それぞれの受信機（ＲＣＶＲ）７５４ａないし７５４ｒに提供される。各受信機７５４は、それぞれの受信信号を調整し（例えば、フィルタリングし、増幅し、ダウンコンバートする）、調整された信号をデジタル化してサンプルを提供し、さらにサンプルを処理して対応する“受信”シンボルストリームを提供する。
【００４９】
ＲＸデータプロセッサ７６０は、ＮR個の受信機７５４からＮR個の受信シンボルストリームを受け取り、特定の受信機処理技術に基づいて処理して、ＮT個の“検出された”シンボルストリームを提供する。ＲＸデータプロセッサ７６０は、各検出されたシンボルストリームを復調し、デインターリーブし、デコードして、データストリームに対するトラフィックデータを回復する。ＲＸデータプロセッサ７６０による処理は、送信機システム７１０におけるＴＸ ＭＩＭＯプロセッサ７２０およびＴＸデータプロセッサ７１４により実行される処理と相補関係にある。
【００５０】
プロセッサ７７０は、（以下で論じるように）どのプリコーディング行列を使用するかを定期的に決定する。プロセッサ７７０は、行列インデックス部分とランク値部分とを備えるリバースリンクメッセージを構築する。
【００５１】
リバースリンクメッセージは、通信リンクおよび／または受信データストリームに関するさまざまなタイプの情報を含んでいてもよい。リバースリンクメッセージは、データ源７３６から多数のデータストリームに対するトラフィックデータも受信するＴＸデータプロセッサ７３８によって処理され、変調器７８０によって変調され、送信機７５４ａないし７５４ｒによって調整され、送信機システム７１０対して再度送信される。
【００５２】
送信機システム７１０において、受信機システム７５０からの変調信号は、アンテナ７２４によって受信され、受信機７２２によって調整され、復調器７４０によって復調され、ＲＸデータプロセッサ７４２によって処理されて、受信機システム７５０により送信されたリバースリンクメッセージが抽出される。プロセッサ７３０は、ビームフォーミングの重みを決定するためにどのプリコーディング行列を使用するかを決定し、抽出されたメッセージを処理する。
【００５３】
１つの観点において、論理チャネルは、制御チャネルとトラフィックチャネルとに分類される。論理制御チャネルは、ブロードキャスト制御チャネル（ＢＣＣＨ）を備え、ＢＣＣＨは、システム制御情報をブロードキャストするためのＤＬチャネルである。ページング制御チャネル（ＰＣＣＨ）は、ページング情報を伝送するＤＬチャネルである。マルチキャスト制御チャネル（ＭＣＣＨ）は、マルチメディアブロードキャストおよびマルチキャストサービス（ＭＢＭＳ）スケジューリングならびに１つまたはいくつかのＭＴＣＨに対する制御情報を送信するために使用されるポイントツーマルチポイントＤＬチャネルである。一般に、ＲＲＣ接続を確立した後に、このチャネルは、ＭＢＭＳ（注：古いＭＣＣＨ＋ＭＳＣＨ）を受信するＵＥによってのみ使用される。専用制御チャネル（ＤＣＣＨ）は、専門制御情報を送信するポイントツーポイント双方向チャネルであり、ＲＲＣ接続を有するユーザによって使用される。１つの観点において、論理トラフィックチャネルは、専用トラフィックチャネル（ＤＴＣＨ）を備え、ＤＴＣＨは、ユーザ情報の転送のための、１つのＵＥに専用の、ポイントツーポイント双方向チャネルである。さらに、マルチキャストトラフィックチャネルは、トラフィックデータを送信するためのポイントツーマルチポイントＤＬチャネルである。
【００５４】
１つの観点において、トランスポートチャネルは、ＤＬとＵＬに分類される。ＤＬトランスポートチャネルは、ブロードキャストチャネル（ＢＣＨ）と、ダウンリンク共有データチャネル（ＤＬ−ＳＤＣＨ）と、ページングチャネル（ＰＣＨ）とを備え、ＰＣＨは、ＵＥ電力節減のサポートのためのものであり（ＤＲＸ周期がＵＥに対してネットワークによって示される）、セル全体に対してブロードキャストされ、他の制御／トラフィックチャネルに対して使用できるＰＨＹリソースにマッピングされる。ＵＬトランスポートチャネルは、ランダムアクセスチャネル（ＲＡＣＨ）と、リクエストチャネル（ＲＥＱＣＨ）と、アップリンク共有データチャネル（ＵＬ−ＳＤＣＨ）と、複数のＰＨＹチャネルとを備えている。ＰＨＹチャネルは、１組のＤＬチャネルとＵＬチャネルとを備えている。
【００５５】
ＤＬ ＰＨＹチャネルは、共通パイロットチャネル（ＣＰＩＣＨ）と、同期チャネル（ＳＣＨ）と、共通制御チャネル（ＣＣＣＨ）と、共有ＤＬ制御チャネル（ＳＤＣＣＨ）と、マルチキャスト制御チャネル（ＭＣＣＨ）と、共有ＵＬ割当チャネル（ＳＵＡＣＨ）と、アクノレッジメントチャネル（ＡＣＫＣＨ）と、ＤＬ物理共有データチャネル（ＤＬ−ＰＳＤＣＨ）と、ＵＬ電力制御チャネル（ＵＰＣＣＨ）と、ページングインジケータチャネル（ＰＩＣＨ）と、ロードインジケータチャネル（ＬＩＣＨ）とを備えている。ＵＬ ＰＨＹチャネルは、物理ランダムアクセスチャネル（ＰＲＡＣＨ）と、チャネル品質インジケータチャネル（ＣＱＩＣＨ）と、アクノレッジメントチャネル（ＡＣＫＣＨ）と、アンテナサブセットインジケータチャネル（ＡＳＩＣＨ）と、共有リクエストチャネル（ＳＲＥＱＣＨ）と、ＵＬ物理共有データチャネル（ＵＬ−ＰＳＤＣＨ）と、ブロードバンドパイロットチャネル（ＢＰＩＣＨ）とを備えている。
【００５６】
図８において、送信機８００は、送信機から受信機に最初のシーケンス番号を信号送信するためのモジュール８０２として描写されている手段を含む。送信機８００は、最初のシーケンス番号から順番付けられた複数の送信機シーケンス番号のうちのそれぞれの１つにより、送信機上位プロトコルにおいて複数のサービスデータユニット（ＳＤＵ）を処理するためのモジュール８０４として描写されている手段を含む。送信機８００は、複数のＳＤＵを取得する受信機において複数の送信機シーケンス番号のうちのそれぞれの１つを再構築するために、送信されるシーケンスデルタ値にそれぞれ関係付けられている複数の送信機上位プロトコルＳＤＵを組み込む送信機下位プロトコルによって、複数のパケットデータユニット（ＰＤＵ）を発生させ、複数のＰＤＵを受信機に送信するためのモジュール８０６として描写されている手段を含む。
【００５７】
図９において、受信機９００は、送信機から受信機に最初のシーケンス番号を受信するためのモジュール９０２として描写されている手段を含む。受信機９００は、リモートの送信機の送信機下位プロトコルによって発生され、送信され、かつ、送信されるシーケンスデルタ値にそれぞれ関係付けられている複数の送信機上位プロトコルサービスデータユニット（ＳＤＵ）を組み込んでいる、複数のパケットデータユニット（ＰＤＵ）を受信機下位プロトコルにおいて受信するためのモジュール９０４として描写されている手段を含む。受信機９００は、それぞれの送信されるシーケンスデルタ値によって最初のシーケンス番号から順番付けられた複数の送信機シーケンス番号のうちのそれぞれの１つを再構築することにより、複数のＰＤＵから複数のＳＤＵのそれぞれを受信機上位プロトコルにおいて取得するためのモジュール９０６として描写されている手段を含む。
【００５８】
上述したものは、さまざまな観点の例を含む。もちろん、さまざまな観点を記述する目的のために、コンポーネントまたは方法のすべての考えられる組み合わせを記述することは可能ではないが、当業者は、多くのさらなる組み合わせおよび置換が可能であることを認識することができる。したがって、すべてのそのような変更、修正および変形を包含することが意図されている主題の明細書は、特許請求の範囲の精神および範囲内にある。
【００５９】
特に、および、上述したコンポーネント、デバイス、回路、システムおよびこれらに類似するものによって実行されるさまざまな機能に関して、そのようなコンポーネントを記述するために使用される（“手段”に対する参照を含む）用語は、特に示さない限り、たとえ、ここで説明した例示的な観点において機能を実行する、開示した構造に構造的に等価でなくても、記述したコンポーネントの特定の機能を実行する任意のコンポーネント（例えば、機能的に等価）に対応するように向けられている。この点に関して、さまざまな観点は、さまざまな方法の動作および／またはイベントを実行するためのコンピュータ実行可能命令を有するシステムおよびコンピュータ読み取り可能媒体を含む。
【００６０】
さらに、いくつかの構成のうちの１つだけに関して特定の特徴を開示しているかもしれないが、そのような特徴は、任意の所定のまたは特定の適用に対して望まれ、有利であるかもしれないような、他の構成の他の１つ以上の特徴と組み合わせてもよい。用語“含む”および“含んでいる”およびこれらの変形体が、詳細な説明または特許請求の範囲のいずれかにおいて使用される範囲内で、これらの用語は、用語“備えている”に類似する方法で包括的であるように向けられている。さらに、詳細な説明または特許請求の範囲のいずれかにおいて使用される用語“または”は、“非排他的論理和”であることを意味している。
【００６１】
さらに、理解されるように、開示したシステムおよび方法のさまざまな部分は、人工知能、機械学習、あるいは知識またはルールベースのコンポーネント、サブコンポーネント、プロセス、手段、方法あるいはメカニズム（例えば、サポートベクターマシン、ニューラルネットワーク、エキスパートシステム、ベイジアン信念ネットワーク、ファジイ論理、データ融合エンジン、分類器．．．）を含むか、またはそれらで構成されていてもよい。そのようなコンポーネントは、とりわけ、実行されるいくつかのメカニズムまたはプロセスを自動化して、その結果、システムおよび方法の一部を、より適応性があるだけでなく、より効率的でインテリジェントなものにすることができる。
【００６２】
上述した例示的なシステムを考慮して、開示した主題にしたがって実現してもよい方法は、いくつかのフロー図に関連して記述している。説明を簡単にするために、方法を一連のブロックとして示し、記述しているが、いくつかのブロックは、異なる順序で、および／またはここで描写し、記述している他のブロックと同時に、発生してもよいことから、請求されている主題は、ブロックの順序によって限定されないことを理解および認識すべきである。さらに、説明したすべてのブロックを、ここで記述した方法を実現するために必要としなくてもよい。さらに、ここで開示した方法は、そのような方法をコンピュータに移送および転送することを容易にする製造品上に記憶できることをさらに理解すべきである。ここで使用するような、製造品の用語は、任意のコンピュータ読み取り可能デバイス、キャリアまたは媒体からアクセス可能なコンピュータプログラムを包含するように向けられている。
【００６３】
全体的に、または部分的に、参照によりここに組み込まれていると言われる任意の、特許、刊行物または他の開示材料は、組み込まれた材料が、既存の定義、陳述、または本開示において示した他の開示材料と矛盾しないという範囲内でのみ、ここに組み込まれていることを理解すべきである。そのため、必要な範囲内で、ここで明確に示した開示は、参照によりここに組み込まれている何らかの矛盾する材料に取って代わる。参照によりここに組み込まれていると言われているが、既存の定義、陳述、またはここで示した他の開示材料と矛盾する、任意の材料またはこれらの一部は、組み込まれている材料と既存の開示材料との間でいかなる矛盾も生じない範囲内で組み込まれているだけである。
【図１】
2010531555.tif 000003
【図２】
2010531555.tif 000004
【図３】
2010531555.tif 000005
【図４】
2010531555.tif 000006
【図５】
2010531555.tif 000007
【図６】
2010531555.tif 000008
【図７】
2010531555.tif 000009
【図８】
2010531555.tif 000010
【図９】
2010531555.tif 000011
【国際調査報告】
2010531555.tif 000012
2010531555.tif 000013